(57)【要約】【課題】筐体に内部ユニットを容易に取り付けできる暖房装置を提供する。【解決手段】暖房装置は、筐体１と、内部ユニット１０と、固定部材２０とを備えている。筐体１は、係止孔ＨＡと、貫通孔ＨＢとを有する。内部ユニット１０は、係止孔ＨＡに挿入可能な係止爪１１と、係止孔ＨＡに係止爪１１が挿入された状態で貫通孔ＨＢに対向するように位置する受け部１２とを有する。固定部材２０は、貫通孔ＨＢの径よりも大きい寸法を有し、かつ筐体１の外側に位置する頭部２１と、頭部２１から貫通孔ＨＢを通って筐体１の内側に向かって突出し、受け部１２に固定可能な軸部２２とを有する。係止爪１１は、筐体１の内側から外側に突出する突起部１１ａと、係止孔ＨＡに係止爪１１が挿入された状態で筐体１の外側に位置し、かつ突起部１１ａが筐体１の内側から外側に突出する方向と交差する方向に突起部１１ａから突出する爪部１１ｂとを含む。【選択図】図４
2015219000.tif 000002
【特許請求の範囲】
【請求項１】
係止孔と、貫通孔とを有する筐体と、
前記係止孔に挿入可能な係止爪と、前記係止孔に前記係止爪が挿入された状態で前記貫通孔に対向するように位置する受け部とを有する内部ユニットと、
前記貫通孔の径よりも大きい寸法を有し、かつ前記筐体の外側に位置する頭部と、前記頭部から前記貫通孔を通って前記筐体の内側に向かって突出し、前記受け部に固定可能な軸部とを有する固定部材とを備え、
前記係止爪は、前記筐体の内側から外側に突出する突起部と、前記係止孔に前記係止爪が挿入された状態で前記筐体の外側に位置し、かつ前記突起部が前記筐体の内側から外側に突出する方向と交差する方向に前記突起部から突出する爪部とを含む、暖房装置。
【請求項２】
係合部を有し、前記係合部が前記爪部に係合することで前記筐体の外部において前記内部ユニットに保持されたフィルタ部材をさらに備えた、請求項１に記載の暖房装置。
【請求項３】
前記フィルタ部材は、前記突起部が前記筐体の内側から外側に突出する方向から見て、前記係止爪を覆っている、請求項２に記載の暖房装置。
【請求項４】
前記固定部材は、前記軸部が前記受け部に対して着脱可能に構成されている、請求項１〜３のいずれか１項に記載の暖房装置。
【請求項５】
前記固定部材はネジであり、前記受け部はネジ穴である請求項１〜４のいずれか１項に記載の暖房装置。
【発明の詳細な説明】
【技術分野】
【０００１】
本発明は、暖房装置に関するものである。
【背景技術】
【０００２】
近年、ガスファンヒータなどの暖房装置では、イオン発生ユニットなどの空気浄化ユニットを搭載した製品が増えている。
【０００３】
たとえば、特開２０１２−１３２６３５号公報（特許文献１）には、イオン発生ユニットを内蔵した暖房装置が開示されている。この暖房装置では、イオン発生ユニットは外部筐体の内面側にネジによって取り付けられている。
【先行技術文献】
【特許文献】
【０００４】
【特許文献１】特開２０１２−１３２６３５号公報
【発明の概要】
【発明が解決しようとする課題】
【０００５】
暖房装置の筐体の内面側に空気浄化ユニットなどの内部ユニットがネジによって取り付けられる場合、内部ユニットが筐体の内面側からネジ止めされると、筐体を貫通して筐体の外面からネジが突出するおそれがある。そのため、内部ユニットは筐体の内面に外面側からネジ止めされる。この際、作業者は、手で内部ユニットを筐体の内面側に位置決めしながら外面側からネジ止めする。このため、筐体に内部ユニットを取り付け難いという問題がある。
【０００６】
本発明は、上記の課題を鑑みてなされたものであり、その目的は、筐体に内部ユニットを容易に取り付けできる暖房装置を提供することである。
【課題を解決するための手段】
【０００７】
本発明の暖房装置は、筐体と、内部ユニットと、固定部材とを備えている。筐体は、係止孔と、貫通孔とを有する。内部ユニットは、係止孔に挿入可能な係止爪と、係止孔に係止爪が挿入された状態で貫通孔に対向するように位置する受け部とを有する。固定部材は、貫通孔の径よりも大きい寸法を有し、かつ筐体の外側に位置する頭部と、頭部から貫通孔を通って筐体の内側に向かって突出し、受け部に固定可能な軸部とを有する。係止爪は、筐体の内側から外側に突出する突起部と、係止孔に係止爪が挿入された状態で筐体の外側に位置し、かつ突起部が筐体の内側から外側に突出する方向と交差する方向に突起部から突出する爪部とを含む。
【０００８】
本発明の暖房装置によれば、筐体の係止孔に内部ユニットの係止爪が挿入されることで筐体に内部ユニットが仮止めされる。そして、係止孔に係止爪が挿入された状態で固定部材の軸部が貫通孔を通って受け部に固定されることで、固定部材によって筐体に内部ユニットが取り付けられる。このため、筐体に内部ユニットを容易に取り付けることができる。
【０００９】
上記の暖房装置は、係合部を有し、係合部が爪部に係合することで筐体の外部において内部ユニットに保持されたフィルタ部材をさらに備えている。このため、フィルタ部材を内部ユニットに保持することができる。また、筐体にフィルタ部材を保持するための専用部品を設けなくてよい。これにより、暖房装置の意匠性を向上することができる。また、暖房装置の生産性を向上できる。
【００１０】
上記の暖房装置において、フィルタ部材は、突起部が筐体の内側から外側に突出する方向から見て、係止爪を覆っている。このため、フィルタ部材によって係止爪を覆うことで暖房装置の意匠性を向上することができる。
【００１１】
上記の暖房装置において、固定部材は、軸部が受け部に対して着脱可能に構成されている。このため、固定部材を着脱することによって筐体に内部ユニットを着脱することができる。これにより、内部ユニットを交換することができる。
【００１２】
上記の暖房装置において、固定部材はネジであり、受け部はネジ穴である。このため、ネジ止めによって筐体に内部ユニットを取り付けできる。
【発明の効果】
【００１３】
以上説明したように、本発明によれば、内部ユニットを容易に取り付けできる暖房装置を提供することができる。
【図面の簡単な説明】
【００１４】
【図１】本発明の一実施の形態における暖房装置の構成を概略的に示す斜視図である。
【図２】本発明の一実施の形態における暖房装置の構成を背面側から概略的に示す斜視図である。
【図３】本発明の一実施の形態における暖房装置の内部構造を示す概略図である。
【図４】本発明の一実施の形態における暖房装置の内部ユニットおよびその周辺部分を概略的に示す断面図である。
【図５】本発明の一実施の形態における暖房装置の内部ユニットが筐体に仮止めされた状態を示す概略断面図である。
【図６】本発明の一実施の形態における暖房装置の内部ユニットが固定部材によって筐体に取り付けられた状態を示す概略断面図である。
【発明を実施するための形態】
【００１５】
以下、本発明の実施の形態について図に基づいて説明する。
まず、図１および図２を参照して、本発明の一実施の形態における暖房装置の構成について説明する。以下、本実施の形態の暖房装置の一例としてガスファンヒータについて説明する。また、以下では各方向は暖房装置を床面に設置した状態を基準としている。
【００１６】
本実施の形態の暖房装置は、筐体１と、表示パネル部２と、操作パネル部３と、燃焼ケース４と、燃焼装置５と、送風装置６と、風向板７と、制御部８と、内部ユニット１０と、固定部材２０と、フィルタ部材３０とを主に有している。
【００１７】
筐体１は、側板部１ａと、前板部１ｂと、天板部１ｃと、底板部１ｄとを有している。筐体１はたとえば板金で形成されていてもよい。筐体１の内部に、燃焼ケース４と、燃焼装置５と、送風装置６と、風向板７と、制御部８と、内部ユニット１０とが収容されている。
【００１８】
天板部１ｃの天面には内部ユニット１０と連通する供給口ＳＰが設けられている。天板部１ｃの上側に各種情報を表示可能な表示パネル部２と、暖房装置を操作可能な操作パネル部３とが並んで取り付けられている。本実施の形態では、表示パネル部２は２つの表示部２ａを有しており、操作パネル部３は８つの操作ボタン３ａを有している。
【００１９】
図１および図３を参照して、燃焼ケース４は、ファンケース一体型の燃焼ケースであり、燃焼装置５と、送風装置６とを内部に収容している。燃焼ケース４の内部は二重構造となっており、燃焼部４ａと、空気迂回部４ｂとを有している。燃焼ケース４の燃焼部４ａには、燃焼装置５、熱電対５ａ、点火プラグ５ｂが配置されている。燃焼装置５は、たとえばバーナである。燃焼装置５には、電磁弁ＥＶから燃料ガス供給路ＳＲを経由して燃料ガスが供給される。熱電対５ａは火炎状態検知手段として機能するものであり、火炎の温度を直接的に検知可能に構成されている。点火プラグ５ｂは燃料ガスに点火可能に構成されている。
【００２０】
空気迂回部４ｂは、燃焼部４ａの周囲を取り巻くものであり、主として混合用の空気を流す空気流路として機能する。燃焼ケース４の背面側には、燃焼ケース４の内部に空気を取り込むための取込口ＩＰが設けられている。また、側板部１ａの背面に吸気口ＡＰが設けられている。吸気口ＡＰから吸気された空気が取込口ＩＰを経由して燃焼ケース４の内部に取り込まれる。
【００２１】
燃焼装置５は送風装置６の上方に配置されている。送風装置６は、たとえばファンである。送風装置６は筐体１の外部から内部に空気を取り込み、かつ取り込んだ空気を外部に送風可能に構成されている。送風装置６は風向板７の近傍に配置されている。
【００２２】
風向板７は、前板部１ｂの下部に設けられた排気口ＥＰから筐体１外に露出するように配置されている。排気口ＥＰは前板部１ｂを貫通しており、暖房装置の内部と外部とを連通している。排気口ＥＰは筐体１の正面に配置されている。排気口ＥＰは略長方形状を有しており、前板部１ｂの左右方向の大部分に渡って形成されている。
【００２３】
燃焼ケース４の側方に制御部８が配置されている。制御部８は、暖房装置を制御するマイコン（図示せず）を備えた制御基板を有しており、暖房装置の各部の動作を制御可能に構成されている。具体的には、制御部８は、暖房装置の各種温度センサ（サーミスタ）、熱電対５ａ等からの信号を取得可能であり、燃焼装置５の火炎の有無や火炎の温度、燃焼装置５の燃焼量、暖房装置の内部の温度、暖房装置が設置されている部屋の室温等を取得可能である。そして、制御部８は、取得した情報に基づいた暖房装置の各部を制御可能に構成されている。
【００２４】
また、制御部８は、燃焼装置５と、電磁弁ＥＶや比例弁等の各種制御弁（図示せず）と、点火プラグ５ｂとに接続されている。これにより、制御部８は、燃焼装置５に対して燃焼開始動作、燃焼停止動作、安全動作、燃焼量を増減させる動作等を行うことができる。
【００２５】
図２および図４を参照して、筐体１に内部ユニット１０が取り付けられた構成についてさらに詳しく説明する。
【００２６】
筐体１の内面側に内部ユニット１０が配置されている。筐体１の背面に固定部材２０およびフィルタ部材３０が配置されている。具体的には、側板部１ａの背面側に固定部材２０およびフィルタ部材３０が配置されている。
【００２７】
筐体１は、係止孔ＨＡと、貫通孔ＨＢとを有している。係止孔ＨＡおよび貫通孔ＨＢはそれぞれ筐体１の背面に設けられている。また、筐体１の背面には複数の通気孔ＨＣが設けられている。本実施の形態では、係止孔ＨＡは矩形状に形成されており、貫通孔ＨＢおよび通気孔ＨＣは円形状に形成されている。
【００２８】
本実施の形態では、係止孔ＨＡは２つ設けられており、貫通孔ＨＢは３つ設けられている。２つの係止孔ＨＡは、天板部１ｃと底板部１ｄとが対向する方向において、３つの貫通孔ＨＢおよび複数の通気孔ＨＣの両側に位置している。つまり、２つの係止孔ＨＡは、上下方向において３つの貫通孔ＨＢおよび複数の通気孔ＨＣの外側に配置されている。２つの係止孔ＨＡは３つの貫通孔ＨＢおよび複数の通気孔ＨＣを挟むように配置されている。
【００２９】
本実施の形態では、内部ユニット１０は、イオン発生ユニットである。このイオン発生ユニットは、内部筐体１０ａと、イオン発生装置１０ｂと、送風機１０ｃとを有している。内部筐体１０ａにイオン発生装置１０ｂと送風機１０ｃとが収容されている。また、内部筐体１０ａの上面には送風口１０ｄが設けられている。イオン発生装置１０ｂは電極部１０ｂ１を有している。イオン発生装置１０ｂは、電極部１０ｂ１で放電を発生させることでイオンを発生可能に構成されている。送風機１０ｃは、イオン発生装置１０ｂで発生したイオンが含まれた空気を送風口１０ｄを通して筐体１外に送風可能に構成されている。送風機１０ｃはファンである。
【００３０】
内部ユニット１０は、係止爪１１と、受け部１２とを有している。係止爪１１は、係止孔ＨＡに挿入可能に構成されている。係止爪１１は、係止爪１１の根本部分まで係止孔ＨＡに挿入されている。係止爪１１は、突起部１１ａと、爪部１１ｂとを有している。突起部１１ａは筐体１の内側から外側に突出する。爪部１１ｂは、係止孔ＨＡに係止爪１１が挿入された状態で筐体１の外側に位置している。爪部１１ｂは、突起部１１ａが筐体１の内側から外側に突出する方向と交差する方向に突起部１１ａから突出する。
【００３１】
本実施の形態では、爪部１１ｂは、突起部１１ａが筐体１の内側から外側に突出する方向において突起部１１ａの先端に配置されている。また、突起部１１ａおよび爪部１１ｂは係止孔ＨＡの長手方向に延在している。
【００３２】
また、係止爪１１は、天板部１ｃと底板部１ｄとが対向する方向に２つ設けられている。２つの係止爪１１の各々の爪部１１ｂは互いに対向する方向に突出している。つまり、天板部１ｃ側（上側）の係止爪１１の爪部１１ｂは底板部１ｄ側（下側）に突出しており、底板部１ｄ側（下側）の係止爪１１の爪部１１ｂは天板部１ｃ側（上側）に突出している。
【００３３】
本実施の形態では、係止爪１１は２つ設けられているが、係止爪１１は１つにすることもできる。また、爪部１１ｂは上下方向に突出しているが、左右方向に突出させることもできる。
【００３４】
受け部１２は、係止孔ＨＡに係止爪１１が挿入された状態で貫通孔ＨＢに対向するように位置する。本実施の形態では、受け部１２は貫通孔ＨＢと同数の３つ設けられている。受け部１２は固定部材２０と係合可能に構成されている。
【００３５】
固定部材２０は、頭部２１と、軸部２２とを有している。頭部２１は、貫通孔ＨＢの径よりも大きい寸法を有し、かつ筐体１の外側に位置する。軸部２２は、頭部２１から貫通孔ＨＢを通って筐体１の内側に向かって突出し、受け部１２に固定可能に構成されている。
【００３６】
固定部材２０は、軸部２２が受け部１２に対して着脱可能に構成されている。軸部２２が受け部１２に対して着脱可能に構成されているため、固定部材２０を受け部１２に着脱することができる。本実施の形態では、固定部材２０はネジであり、受け部１２はネジ穴である。なお、固定部材２０は、筐体１の外側から内部ユニット１０を固定できるものであればよい。たとえば、固定部材２０として、ナイラッチを用いることができる。
【００３７】
フィルタ部材３０は、係合部３１と、フレーム部３２と、フィルタ３３と、把持部３４とを有している。本実施の形態では、係合部３１、フレーム部３２および把持部３４は、樹脂で形成されており、フィルタ３３は不織布で形成されている。フィルタ部材３０は、係合部３１が爪部１１ｂに係合することで筐体１の外部において内部ユニット１０に保持されている。
【００３８】
係合部３１は、係合突起部３１ａと、係合爪部３１ｂとを有している。係合突起部３１ａはフレーム部３２から筐体１側に突出する。係合爪部３１ｂは係合突起部３１ａがフレーム部３２から筐体１側に突出する方向と交差する方向に係合突起部３１ａから突出する。
【００３９】
本実施の形態では、係合突起部３１ａおよび係合爪部３１ｂは係止爪１１の長手方向に延在している。また、係合部３１は、天板部１ｃと底板部１ｄとが対向する方向に２つ設けられている。２つの係合部３１の各々の係合爪部３１ｂは互いに対向する方向と反対方向に突出している。つまり、天板部１ｃ側（上側）の係合部３１の係合爪部３１ｂは天板部１ｃ側（上側）に突出しており、底板部１ｄ側（下側）の係止爪１１の爪部１１ｂは底板部１ｄ側（下側）に突出している。
【００４０】
２つの係合爪部３１ｂのそれぞれは、２つの爪部１１ｂの各々よりも筐体１側で爪部１１ｂの各々に係合している。２つの係合爪部３１ｂのそれぞれが２つの爪部１１ｂの各々に係合した状態で、２つの係合突起部３１ａの各々の先端が筐体１の外面に当接している。
【００４１】
また、天板部１ｃと底板部１ｄとが対向する方向において、２つの爪部１１ｂの各々の頂点間の寸法よりも２つの係合爪部３１ｂの各々の頂点間の寸法は大きい。このため、フィルタ部材３０が筐体１と反対側に脱落することが防止される。
【００４２】
本実施の形態では、２つの係止爪１１の各々は同一形状を有しており、各々の爪部１１ｂが互いに対向するように配置されている。また、２つの係合部３１の各々は同一形状を有しており、各々の係合爪部３１ｂが互いに対向するように配置されている。このため、フィルタ部材３０は係止爪１１に上下を反対にして取り付け可能である。したがって、フィルタ部材３０を係止爪１１に取り付ける際に上下を合わせる必要がないため、作業性を向上することができる。
【００４３】
フレーム部３２は筐体１に沿って延在している。フレーム部３２は複数の孔３５を有している。フレーム部３２の筐体１側にフィルタ３３が取り付けられている。フィルタ３３は通気可能に構成されている。また、フィルタ３３は、孔３５を通って内部ユニット１０に取り込まれる空気がフィルタ３３を通る際に空気中のゴミなどを付着可能に構成されている。天板部１ｃと底板部１ｄとが対向する方向において、フレーム部３２の両端には２つの把持部３４がそれぞれ配置されている。作業者はこれらの把持部３４を把持してフィルタ部材３０を係止爪１１に取り付けることができる。
【００４４】
フィルタ部材３０は、突起部１１ａが筐体１の内側から外側に突出する方向から見て、係止爪１１を覆っている。具体的には、筐体１の背面側から見て、把持部３４で係止爪１１が覆われている。また、筐体１の背面側から見て、フィルタ部材３０は固定部材２０の頭部２１を覆っている。また、筐体１の背面側から見て、フィルタ部材３０は２つの係止孔ＨＡおよび複数の貫通孔ＨＢを覆っている。
【００４５】
図５および図６を参照して、内部ユニット１０が筐体１に固定される様子について説明する。
【００４６】
内部ユニット１０が筐体１の内面側に配置され、内部ユニット１０の２つの係止爪１１が筐体１の内面側から筐体１の２つの係止孔ＨＡにそれぞれ挿入される。２つの係止爪１１が２つの係止孔ＨＡにそれぞれ挿入された状態で、天板部１ｃ側の係止爪１１の爪部１１ｂが筐体１の外側において筐体１の係止孔ＨＡの周辺部分のうち下側の部分に引っ掛かる。つまり、天板部１ｃ側の係止爪１１の爪部１１ｂの内側部分が係止孔ＨＡの下側の縁に係止される。これにより、内部ユニット１０が筐体１に仮止めされる。
【００４７】
このように内部ユニット１０が筐体１に仮止めされているため、固定部材２０によって筐体１に内部ユニット１０を取り付ける際に、筐体１から内部ユニット１０が脱落することが抑制される。すなわち、作業者が筐体１の内面側から内部ユニット１０を仮止めした後、筐体１の外面側から固定部材２０によって内部ユニット１０を取り付ける。この際、筐体１に内部ユニット１０が仮止めされているため、筐体１から内部ユニット１０が脱落することが抑制される。また、たとえば、筐体１の正面が作業者側に配置された状態から筐体１の背面が作業者側に配置されるように筐体１の向きが１８０度回転されても内部ユニット１０が筐体１から脱落することが抑制される。
【００４８】
そして、筐体１に内部ユニット１０が仮止めされた状態で、固定部材２０によって筐体１に内部ユニット１０が固定される。このようにして、固定部材２０によって筐体１に内部ユニット１０が取り付けられる。
【００４９】
再び図１を参照して、さらに、筐体１の背面側からフィルタ部材３０の係合部３１が内部ユニット１０の係止爪１１に係合されることによってフィルタ部材３０が内部ユニット１０に固定される。
【００５０】
次に、本実施の形態の暖房装置の動作について説明する。
再び図１および図３を参照して、本実施の形態の暖房装置は、載置された室内温度を昇温および維持するための暖房運転を行うことができる。つまり、燃焼装置５で燃料ガスが燃焼され、発生した燃焼ガスと空気とが撹拌されて生成される温風が送風装置６によって吹き出される暖房運転が実施されることによって、室内温度が設定された温度まで昇温される。
【００５１】
操作パネル部３およびリモコン等に設けられた運転スイッチがオンにされ、暖房装置の暖房運転が開始されると、制御部８の信号によって送風装置６が起動される。そして電磁弁ＥＶが開かれて燃料ガス供給路ＳＲを経由して燃焼装置５に燃料ガスが供給され、点火プラグ５ｂが動作されて、燃焼装置５に火炎が形成される。
【００５２】
このとき、送風装置６が作動することにより、暖房装置の近傍に暖房装置内を通過して循環する空気流が形成される。具体的には、吸気口ＡＰから暖房装置の内部へと空気が取り込まれ、取込口ＩＰから燃焼ケース４内へと取り込まれる。そして、燃焼ケース４内へ取り込まれた空気の一部は、燃焼ケース４の燃焼部４ａに入り、燃焼装置５の燃焼動作に使用される。また、取り込まれた空気の他の一部は、燃焼ケース４の空気迂回部４ｂに入り、燃焼装置５の外側を流れる。そして空気迂回部４ｂを流れた空気は、燃焼装置５から発生する燃焼ガスと撹拌されて温風となる。
【００５３】
つまり燃焼部４ａを通過する高温の空気に、空気迂回部４ｂを流れた空気が混合されて適温の温風となる。そして温風となった空気が燃焼ケース４の下方へと流動し、排気口ＥＰから暖房装置の外部へ吹き出される。このように本実施の形態の暖房装置は、室内の空気を取り込み、加熱して吹き出すことにより室内温度を上昇させることができる。
【００５４】
続いて、本実施の形態の内部ユニットの動作について説明する。
再び図４を参照して、イオン発生ユニットに通電されると、イオン発生装置１０ｂの電極部１０ｂ１に通電される。これにより、電極部１０ｂ１で放電が発生してイオンが発生する。さらに、送風機１０ｃに通電されることにより、送風機１０ｃが回転してイオンを含む空気が送風口１０ｄを通ってイオン発生ユニットから筐体１の外部に放出される。そして、筐体１の外部に放出されたイオンによって居室空間内の空気が浄化される。
【００５５】
次に、本実施の形態の暖房装置の作用効果について説明する。
本実施の形態の暖房装置によれば、筐体１の係止孔ＨＡに内部ユニット１０の係止爪１１が挿入されることで筐体１に内部ユニット１０が仮止めされる。そして、係止孔ＨＡに係止爪１１が挿入された状態で固定部材２０の軸部２２が貫通孔ＨＢを通って受け部１２に固定されることで、固定部材２０によって筐体１に内部ユニット１０が取り付けられる。このため、筐体１に内部ユニット１０を容易に取り付けることができる。
【００５６】
また、係止爪１１の爪部１１ｂは、係止孔ＨＡに係止爪１１が挿入された状態で筐体１の外側に位置し、突起部１１ａが筐体１の内側から外側に突出する方向と交差する方向に突起部１１ａから突出するため、爪部１１ｂが筐体１の係止孔ＨＡの周辺部分に引っ掛かる。このため、内部ユニット１０が筐体１から脱落することが抑制される。
【００５７】
本実施の形態の暖房装置においては、フィルタ部材３０の係合部３１が係止爪１１の爪部１１ｂに係合することで筐体１の外部において内部ユニット１０にフィルタ部材３０が保持される。このため、フィルタ部材３０を内部ユニット１０に保持することができる。また、筐体１にフィルタ部材３０を保持するための専用部品を設けなくてよい。これにより、暖房装置の意匠性を向上することができる。また、暖房装置の生産性を向上できる。
【００５８】
本実施の形態の暖房装置においては、フィルタ部材３０は、突起部１１ａが筐体１の内側から外側に突出する方向から見て、係止爪１１を覆っている。このため、フィルタ部材３０によって係止爪１１を覆うことで暖房装置の意匠性を向上することができる。
【００５９】
本実施の形態の暖房装置において、固定部材２０は、軸部２２が受け部１２に対して着脱可能に構成されている。このため、固定部材２０を着脱することによって筐体１に内部ユニット１０を着脱することができる。これにより、内部ユニット１０を交換することができる。
【００６０】
本実施の形態の暖房装置において、固定部材２０はネジであり、受け部１２はネジ穴である。このため、ネジ止めによって筐体１に内部ユニット１０を取り付けできる。
【００６１】
なお、上記では本実施の形態の暖房装置の一例としてガスファンヒータについて説明したが、本実施の形態の暖房装置は、ガスファンヒータに限定されず、石油ファンヒータなどであってもよい。
【００６２】
また、本実施の形態の内部ユニット１０の一例として、イオン発生ユニットについて説明したが、本実施の形態の内部ユニット１０は、イオン発生ユニットに限定されず、筐体１の内面に取り付けられる部品であれば適用することができる。
【００６３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６４】
１  筐体、１ａ  側板部、１ｂ  前板部、１ｃ  天板部、１ｄ  底板部、２  表示パネル部、２ａ  表示部、３  操作パネル部、３ａ  操作ボタン、４  燃焼ケース、４ａ  燃焼部、４ｂ  空気迂回部、５  燃焼装置、５ａ  熱電対、５ｂ  点火プラグ、６  送風装置、７  風向板、８  制御部、１０  内部ユニット、１０ａ  内部筐体、１０ｂ  イオン発生装置、１０ｂ１  電極部、１０ｃ  送風機、１０ｄ  送風口、１１  係止爪、１１ａ  突起部、１１ｂ  爪部、１２  受け部、２０  固定部材、２１  頭部、２２  軸部、３０  フィルタ部材、３１  係合部、３１ａ  係合突起部、３１ｂ  係合爪部、３２  フレーム部、３３  フィルタ、３４  把持部、３５  孔、ＡＰ  吸気口、ＥＰ  排気口、ＥＶ  電磁弁、ＨＡ  係止孔、ＨＢ  貫通孔、ＨＣ  通気孔、ＩＰ  取込口、ＳＰ  供給口、ＳＲ  燃料ガス供給路。
【図１】
2015219000.tif 000003
【図２】
2015219000.tif 000004
【図３】
2015219000.tif 000005
【図４】
2015219000.tif 000006
【図５】
2015219000.tif 000007
【図６】
2015219000.tif 000008